(57)【要約】      （修正有）【課題】紙材を見た目良くパンチする金型とカッターの構造を提供する。【解決手段】上部金型１、ストリッパ２及び底部金型３で構成する紙材をパンチする金型とカッターの構造である。ハニカム構造紙材４をパンチすることで、一度で製品のパッキング材料に成型する。上部金型はストリッパに対して縦方向に弾性的に変位することができ、底部金型はパンチされる紙材を支える。上部金型に複数のストリッパの方向に突出する圧潰体及びカッターを設け、複数の圧潰体は紙材を成型させたい形状に合わせて異なる高さに設定し、複数のカッターは複数の圧潰体の隣接辺に分布し、且つカッターの高さは必ず隣接する圧潰体より高くする。ストリッパは複数の圧潰体及びカッターに対応する部分に、圧潰体及びカッターが通る対応穴を設けることで、上部金型はストリッパが弾性的な動きをする際に、複数の圧潰体及びカッターがストリッパを通り、紙材をパンチすることができる。【選択図】図３
0003195300.tif 000002
【実用新案登録請求の範囲】
【請求項１】
上部金型、ストリッパ及び底部金型を含み、
金型構造は縦方向に上から上部金型、ストリッパ及び底部金型を含み、ストリッパを上部金型及び底部金型の間に置き、且つ上部金型と弾性的に一体に連結することで、上部金型は該ストリッパに対して縦方向に弾性的に変位することができ、該底部金型はパンチされる紙材を支え、
該上部金型に複数のストリッパの方向に突出する圧潰体及びカッターを設け、該複数の圧潰体は紙材を成型させたい形状に合わせて異なる高さに設定し、該複数のカッターは該複数の圧潰体の隣接辺に分布し、且つ該カッターの高さは必ず隣接する圧潰体より高くし、  
該ストリッパは複数の圧潰体及びカッターに対応する部分に、該圧潰体及びカッターが通る対応穴を設けることで、該上部金型はストリッパが弾性的な動きをする際に、該複数の圧潰体及びカッターがストリッパを通り、紙材をパンチできることを特徴とする紙材をパンチする金型とカッターの構造。
【請求項２】
前記カッターに一つのフラット状の刃部を具有し、該刃部の上部金型と反対端に複数の斜線刃と背が連続して構成する鋸歯状刃があり、該鋸歯状刃の各刃先はそれに続く谷端よりオーバーした位置にあることを特徴とする請求項１記載の紙材をパンチする金型とカッターの構造。
【請求項３】
前記鋸歯状刃の各刃先はそれに続く谷端より約１０度角オーバーした位置にあることを特徴とする請求項２記載の紙材をパンチする金型とカッターの構造。
【請求項４】
前記該斜線刃と背の間の夾角は４５度であることを特徴とする請求項２記載の紙材をパンチする金型とカッターの構造。
【請求項５】
前記上部金型とストリッパとの間に複数のスプリングを接続し、各スプリングの中間に一つの支軸を套設し、支軸の一端をストリッパの上に固接し、別端は上部金型の中に挿入することを特徴とする請求項１記載の紙材をパンチする金型とカッターの構造。
【請求項６】
前記底部金型はカッターと対応する垂直な部分に溝を設けるため、カッターが溝の中で動くことができることを特徴とする請求項１記載の紙材をパンチする金型とカッターの構造。
【請求項７】
前記紙材とは紙芯がハニカム構造紙材であることを特徴とする請求項１から請求項６記載の紙材をパンチする金型とカッターの構造。
【考案の詳細な説明】
【技術分野】
【０００１】
本考案は金型の構造に関し、特にハニカム構造紙材をパンチする金型及び当該金型の上に設置するカッターの構造に関する。
【背景技術】
【０００２】
製品は製造完成後に、通常パッキングが必要である。多くの電子商品はパッキング時に減衰措置を取ることが必要であり、運搬と輸送の過程において、外力からのクラッシュあるいはぶつかりを受けても、商品にダメージを与えるのを避けることができる。
【０００３】
現在最も常用している製品パッキング減衰材料はＥＰＳ(またの名は発泡スチロール、気泡を含ませたポリスチレン)である 。しかしＥＰＳは自然の条件の下では分解しにくく、環境汚染になりやすい。そこで環境汚染にならないよう、従来では段ボール紙あるいはハニカム構造紙材のような紙材で作られたパッキング減衰材料がある。
【０００４】
ハニカム構造紙材は通常の紙材に特殊な加工工程を経て、内芯に連続する六角形の蜂の巣に似た構造を作ったものである。ハニカム構造紙材は軽く、強度が強く、剛性が高いという特性の他に、緩衝、保温に優れ、熱と音を遮断する効果が良いパッキング材料である。同じ原料の紙材の厚みでは、ハニカム構造紙材は通常の段ボール紙よりも高い圧力抵抗を具有し、且つ同じ厚みの平たい紙材と比べ、コストも相対的に低い。
【０００５】
しかし、製品の形に合わせるためには、パッキング材には高低差が必要となるため、ハニカム構造紙材で加工するには、一般的に数回の加工あるいは粘着の工程を経て成型する。しかし、数回の加工では時間もコストもかかり、粘着の結果により当該構造の強度を下げることになる。更に仮にカッターを同一部位に数回ハニカム構造紙材を裁断すると、上下に重複する動作は更に紙材内芯のハニカム構造を破壊することになり、更にカッターが引っかかって次の動きが難しくなることを鑑みて、更なる改善が必要であった。
【先行技術文献】
【特許文献】
【０００６】
【特許文献１】特開２０００−３２６２５９号公報
【考案の概要】
【考案が解決しようとする課題】
【０００７】
前記公知構造の欠点を解決するため、本考案は紙材をパンチする金型及び当該金型の上に設置するカッターの構造を提供することを主な課題とする。
【課題を解決するための手段】
【０００８】
上述の目的を解決するために、本考案は紙材をパンチする金型とカッターの構造を提供するものである。ハニカム構造紙材を一度で製品のパッキング材料に成型できるよう、本考案の金型構造は縦方向に上から上部金型、ストリッパ及び底部金型を含み、ストリッパを上部金型及び底部金型の間に置き、且つ上部金型と弾性的に一体に連結することで、上部金型は該ストリッパに対して縦方向に弾性的に変位することができる。該底部金型は被加工のハニカム構造紙材を支える。該上部金型に更に複数のストリッパの方向に突出する圧潰体及びカッターを設ける。該複数の圧潰体はハニカム構造紙材を成型させたい形状に合わせて異なる高さに設定する。該複数のカッターは該複数の圧潰体の隣接辺に分布し、且つ該カッターの高さは必ず隣接する圧潰体より高くする。操作する際に、該上部金型に力を加えることで、カッター及び圧潰体は同時にハニカム構造紙材に向かって動く。カッターの高さが圧潰体より高いため、カッターはまずハニカム構造紙材の表面を破断する。カッターが既にハニカム構造紙材の表面をパンチしているため、圧潰体がハニカム構造紙材と接触すると、更に該紙芯の蜂の巣に似たハニカム構造を圧潰して成型しやすくなる。圧潰体の設置する高さが異なるため、ハニカム構造紙材の紙芯を圧潰した後に異なる深さの凹段部を成型し、それにより異なる形状の製品を入れることができ、一度で製品の減衰パッキング材に成型する。
【０００９】
最良実施例として、本考案のカッターに一つのフラット状の刃部を具有し、該刃部の上部金型と反対端に複数の斜線刃と背が連続して構成する鋸歯状刃がある。該鋸歯状刃の各刃先はそれに続く谷端より約１０度角オーバーした位置にあり、また、該斜線刃背の間の夾角は約４５度である。よって、カッターがパンチする際に更にハニカム構造紙材を突き破りやすくなる。また、カッターがもっと深く紙芯に入り込んで縦方向にパンチする際に、該鋸歯状刃の各刃先がそれに続く谷端より約１０度角をオーバーするデザインにより、鋸歯状刃の谷端の斜線刃及び背の間の夾角は紙芯のハニカム構造に引っかかることなく、スムーズに破断することができ、引き裂くことにより見た目の悪い縁にならず、比較的良いパンチングの外観を形成する。
【考案の効果】
【００１０】
本考案のカッター部にある鋸歯状刃のデザインにより、カッターがパンチする際に更にハニカム構造紙材を突き破りやすくなる。また、カッターがもっと深く紙芯に入り込んで縦方向にパンチする際に、該鋸歯状刃の各刃先がそれに続く谷端よりオーバーするデザインにより、鋸歯状刃の谷端の斜線刃及び背の間の夾角は紙芯のハニカム構造に引っかかることなく、スムーズに破断することができ、引き裂くことにより見た目の悪い縁にならず、比較的良いパンチングの外観を形成する。
【図面の簡単な説明】
【００１１】
【図１】本考案の金型の構造分解図である。
【図２】本考案の金型の構造組合図である。
【図３】本考案の金型でハニカム構造紙材をパンチする実施状態参考図である。
【図４】本考案のカッターの構造図である。
【図５】断面で表示する本考案の金型の連続動作状態図である。
【図６】断面で表示する本考案の金型の連続動作状態図である。
【図７】断面で表示する本考案の金型の連続動作状態図である。
【図８】本考案の金型でパンチした後のハニカム構造紙材の成型図である。
【考案を実施するための形態】
【００１２】
以下、本考案の構造と特徴および効果を、最良実施例と図面を参照しながら詳細に説明する。
【００１３】
図１から図３に示すように、本考案の金型構造は縦方向に上から上部金型１、ストリッパ２及び底部金型３を含み、ストリッパ２を上部金型１及び底部金型３の間に置き、且つ上部金型１と弾性的に一体に連結することで、上部金型１は該ストリッパ２に対して縦方向に弾性的に変位することができる。該底部金型３は被加工のハニカム構造紙材４を支える。
【００１４】
上記上部金型１とストリッパ２との間に複数のスプリング１０を接続することで、上部金型１はストリッパ２に対して弾性的に動くことができる。最良実施例として各スプリング１０の中間に一つの支軸１を套設し、支軸１１の一端１１０をストリッパ２の上に固接し、別端は上部金型１の中に挿入する。支軸１１により該上部金型１は更に安定し、偏向することなく縦方向に弾性的に動くことができる。
【００１５】
図５に示すように、上部金型１に複数のストリッパ２の方向に突出する圧潰体１２及びカッター５を設ける。該複数の圧潰体１２はハニカム構造紙材４を成型させたい形状に合わせて異なる高さに設定する。該複数のカッター５は該複数の圧潰体１２の隣接辺に分布し、且つ該カッター５の高さは必ず隣接する圧潰体１２より高くする。
【００１６】
上記ストリッパ２は複数の圧潰体１２及びカッター５に対応する部分に、該圧潰体１２及びカッター５が通る対応穴２０を設けることで、該上部金型１はストリッパ２が弾性的な動きをする際に、該複数の圧潰体１２及びカッター５がストリッパ２を通り、ハニカム構造紙材４に加工を行うことができる。前記底部金型３はカッター５と対応する垂直な部分に溝３０を設けるため、カッター５が溝３０の中で動くことができる。
【００１７】
本考案のカッター５の構造は図４に示す通りである。該カッター５に一つのフラット状の刃部５０を具有し、該刃部５０の上部金型１と反対端に複数の斜線刃５１と背５２が連続して構成する鋸歯状刃５３がある。特に該鋸歯状刃５３の各刃先５３０はそれに続く谷端５３１より約１０度角オーバーした位置Ａにあり、また、該斜線刃５１と背５２の間の夾角Ｂは約４５度である。
【００１８】
図５から図７に示すように、操作する際に、まず被加工のハニカム構造紙材４を底部金型３の上に置き、ストリッパ２でハニカム構造紙材４の表面を押さえる。上部金型１に力を加えることで圧潰体１２及びカッター５が同時に該ストリッパ２の方向に作動する。図５に示すように、作動時にカッター５の高さが圧潰体１２より高いため、カッター５はまずストリッパ２の対応穴２０を通り、且つカッター５の鋸歯状刃５３がハニカム構造紙材４の表面を破断する。続けて図６及び図７に示すように、該上部金型１を引き続きストリッパ２の方向に圧力を施す。カッター５が既にハニカム構造紙材４の表面をパンチしているため、圧潰体１２が対応穴２０を通過した後にハニカム構造紙材４と接触すると、更に該紙芯４０の蜂の巣に似たハニカム構造を破壊して成型しやすくなる。圧潰体１２の設置する高さが異なるため、図８に示すように、ハニカム構造紙材４の紙芯４０を圧潰した後に異なる深さの凹段部４１、４２を成型し、それにより異なる形状の製品を入れることができ、一度で製品の減衰パッキング材に成型する。
【００１９】
前記の操作過程において、特に言及したいのは、カッター部５０にある鋸歯状刃５３のデザインにより、カッター５がパンチする際に更にハニカム構造紙材４を突き破りやすくなる。また、カッター５がもっと深く紙芯４０に入り込んで縦方向にパンチする際に、該鋸歯状刃５３の各刃先５３０がそれに続く谷端５３１より約１０度角をオーバーするデザインにより、鋸歯状刃５３の谷端４３１の斜線刃５１及び背５２の間の夾角は紙芯４０のハニカム構造に引っかかることなく、スムーズに破断することができ、引き裂くことにより見た目の悪い縁にならず、比較的良いパンチングの外観を形成する。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  上部金型
１０  スプリング
１１  支軸
１１０  一端
１２  圧潰体
２  ストリッパ
２０  対応穴
３  底部金型
３０  溝
４    ハニカム構造紙材
４０  紙芯
４１、４２  凹段部
５    カッター
５０  カッター部
５１  斜線刃
５２  背
５３  鋸歯状刃
５３０  刃先
５３１  谷端
【図１】
0003195300.tif 000003
【図２】
0003195300.tif 000004
【図３】
0003195300.tif 000005
【図４】
0003195300.tif 000006
【図５】
0003195300.tif 000007
【図６】
0003195300.tif 000008
【図７】
0003195300.tif 000009
【図８】
0003195300.tif 000010
【手続補正書】
【提出日】平成26年11月6日(2014.11.6)
【手続補正１】
【補正対象書類名】実用新案登録請求の範囲
【補正対象項目名】請求項４
【補正方法】変更
【補正の内容】
【請求項４】
前記斜線刃と背の間の夾角は４５度であることを特徴とする請求項２記載の紙材をパンチする金型とカッターの構造。
【手続補正２】
【補正対象書類名】実用新案登録請求の範囲
【補正対象項目名】請求項５
【補正方法】変更
【補正の内容】
【請求項５】
前記上部金型とストリッパとの間に複数のスプリングを接続し、各スプリングの中間に一つの支軸を設置し、支軸の一端をストリッパの上に固接し、別端は上部金型の中に挿入することを特徴とする請求項１記載の紙材をパンチする金型とカッターの構造。